(57)【要約】【課題】  紙押さえが片持ち構造の回転型であっても、押圧力を付与したときの当該押圧力を略全域に及ばして裁断を精度良く行うことのできる裁断機を提供すること。【解決手段】  用紙Ｐを配置するための平面１１を備えたベース１２の右側端１２Ａに沿って回転可能に支持されたカッター刃１３と、用紙Ｐを押圧する紙押さえ１５とを備えて裁断機１０が構成されている。紙押さえ１５は、押圧力を付与したときに厚みを縮小するように変形する当接パッド４３を下面側に備えており、紙押さえ１５の自由端側領域における一部を押圧した場合でも、押圧力を用紙Ｐの接触領域の全域に及ぶすように設けられている。【選択図】          図１
2006321025.tif 000002
【特許請求の範囲】
【請求項１】
用紙を配置するための平面を備えたベースと、このベースの側端に沿って回転可能に支持されたカッター刃と、前記ベース上の用紙を押圧するように回転可能に設けられた紙押さえとを備えた裁断機において、
前記紙押さえは、当該紙押さえをベース面側に押圧したときに、その押圧力が用紙の接触領域全域に及ぶように設けられていることを特徴とする裁断機。
【請求項２】
前記紙押さえは下面側に当接パッドを備え、前記押圧力を付与したときに、前記当接パッドが厚みを縮小することを特徴とする請求項１記載の裁断機。
【請求項３】
前記当接パッドは、平坦な金属板を介して取り付けられていることを特徴とする請求項２記載の裁断機。
【請求項４】
前記紙押さえは、ベース上の用紙に対して非接触となる鋭角位置で停止可能に設けられていることを特徴とする請求項１，２又は３記載の裁断機。
【請求項５】
前記用紙の上端位置決めガイドと、裁断側の反対側となる側端揃えガイドとを含み、当該側端揃えガイドは、上端位置決めガイドにテーパ嵌合することで上端位置決めガイドに対して直角に保たれることを特徴とする請求項１ないし４の何れかに記載の裁断機。
【発明の詳細な説明】
【技術分野】
【０００１】
本発明は裁断機に係り、更に詳しくは、多数枚の用紙を裁断する際に、用紙の位置ずれを防止するための押圧力を確実に及ぼすようにして裁断精度を向上させることのできる裁断機に関する。
【背景技術】
【０００２】
従来より、多数枚の用紙を一度の操作で裁断することのできる裁断機が知られている。この裁断機は、例えば、特許文献１に開示されているように、上面が平面に設けられた平面視略方形のベースと、このベースの右側端に沿って回転可能に設けられたカッター刃と、ベース上に載せられる裁断対象である多数枚の用紙をベースに押し付けて用紙の横方向への滑り若しくは逃げを防止する紙押さえとを備えて構成されている。ここで、紙押さえは、一端を自由端として回転可能に設けられているとともに、ベースの前後方向に沿って延びる長さを備えて構成されている。
【０００３】
ところで、裁断機における裁断精度を向上させる要因として、多数枚の用紙の端揃えを正確に行うことも必要とされている。この端揃えは、用紙の上端を突き当てる上端位置決めガイドと、用紙の一側端を突き当てる側端揃えガイドとを用いて行われている（例えば、特許文献２参照）。
【０００４】
【特許文献１】実公昭３５−５３２０号公報
【特許文献２】実公昭６２−４０７８６号公報
【発明の開示】
【発明が解決しようとする課題】
【０００５】
しかしながら、特許文献１に記載された紙押さえは、押圧力を付与しても、一部の領域が用紙を強く押圧してしまい、他の領域における押圧力が相対的に弱くなる傾向をもたらし、これにより、カッター刃で裁断をするときの力で用紙が面方向にずれて裁断精度を低下させてしまう、という不都合がある。これは、紙押さえが片持ち構造の回転型で、一定の長さを有している点に起因するものと思われる。
【０００６】
また、特許文献２に記載された側端揃えガイドは、一端側が上端位置決めガイドを跨ぐ形状に設けられて所定位置でねじ止め固定する構成となっている。そのため、上端ガイドと側端揃えガイドとの直交関係を精度良く維持することが困難となり、これにより、用紙の裁断縁と、これに連なる上下端縁との直交関係が崩れてしまう、という不都合を招来する。
【０００７】
［発明の目的］
本発明は、このような不都合に着目して案出されたものであり、その目的は、紙押さえが片持ち構造の回転型であっても、押圧力を付与したときの当該押圧力を略全域に及ぼしめて裁断を精度良く行うことのできる裁断機を提供することにある。
【０００８】
本発明の他の目的は、用紙をベース上に配置したときに、当該用紙の端揃えを容易に行えるようにして用紙の上下端縁と側端縁との直交関係を精度よく確保することのできる裁断機を提供することにある。
【課題を解決するための手段】
【０００９】
前記目的を達成するため、本発明は、用紙を配置するための平面を備えたベースと、このベースの側端に沿って回転可能に支持されたカッター刃と、前記ベース上の用紙を押圧するように回転可能に設けられた紙押さえとを備えた裁断機において、
前記紙押さえは、当該紙押さえをベース面側に押圧したときに、その押圧力が用紙の接触領域全域に及ぶように設けられる、という構成を採っている。
【００１０】
本発明において、前記紙押さえは下面側に当接パッドを備え、前記押圧力を付与したときに、前記当接パッドが厚みを縮小するように設けられている。
【００１１】
また、前記当接パッドは、平坦な金属板を介して取り付けることが好ましい。
【００１２】
更に、前記紙押さえは、ベース上の用紙に対して非接触となる鋭角位置で停止可能に設けるとよい。
【００１３】
また、前記用紙の上端位置決めガイドと、裁断側の反対側となる側端揃えガイドとを含み、当該側端揃えガイドは、上端位置決めガイドにテーパ嵌合することで上端位置決めガイドに対して直角を維持する、という構成を採っている。
【発明の効果】
【００１４】
本発明によれば、紙押さえを押圧したときの押圧力が用紙との接触領域全域に及ぶ構成であるため、用紙のずれを効果的に防止することができ、これにより、用紙位置を安定した状態に保って裁断を精度良く行うことが可能となる。
【００１５】
また、紙押さえに用いられる当接パッドの厚みを縮小させるものであるため、当該当接パッドと用紙との間の滑りを有効に防止しつつ前記押圧力を付与せしめることができる。
【００１６】
更に、当接パッドが金属板を介して取り付けられているため、当接パッドが極端な変形若しくは逃げによって一部の押圧力不足が生ずるおそれも回避可能となる。
【００１７】
また、紙押さえはベース上の鋭角位置で停止できる構成であるため、換言すれば、鈍角な向きに起立させて停止させる必要がないため、押圧力を付与する際の操作角度を小さくでき、作業負担の軽減を図ることができる。
【００１８】
更に、側端揃えガイドが上端位置決めガイドにテーパ嵌合するため、これらの嵌合を行うだけで両者の直角関係を確立することができ、用紙の上下端縁と裁断縁との直角性を良好に確保することができる。
【発明を実施するための最良の形態】
【００１９】
以下、本発明の好ましい実施形態を図面を参照しながら説明する。なお、以下の説明における位置若しくは方向に関する用語は、図２を基準し、同図中下方を「前」とする一方、図中上方「後」とする。
【００２０】
図１には、本実施形態に係る裁断機の概略斜視図が示されている。この図において、裁断機１０は、用紙Ｐを配置する平面１１を備えたベース１２と、このベース１２の右側端１２Ａに沿って回転可能に支持されたカッター刃１３と、用紙Ｐを押圧する紙押さえ１５と、用紙の上端位置決めガイド１６と、前記平面１１に磁気接着可能な側端揃えガイド１７とを備えて構成されている。
【００２１】
前記ベース１２は、図２ないし図５にも示されるように、平面視略縦長の略長方形状をなし、その右側端１２Ａの後部にカッター刃１３の後端部が軸支される一方、前部にカッター刃１３のストッパ１８が取り付けられている。また、右側端１２Ａの下部には、カッター刃１３の押し下げ位置を規制するカッター刃受け台１９が設けられているとともに、ベース１２の後部側には紙押さえ１５を支持する支持部２０が設けられている。支持部２０は、左右一対の支持壁２２，２２と、これら支持壁２２，２２の後部間に位置する後壁２３と、支持壁２２，２２間の下端部間に位置する底壁２４とを備え、平面視略コ字状をなして上部及び前部が開放する形状に設けられている。
【００２２】
前記支持壁２２，２２の後部側相対面には、紙押さえ１５の後部に設けられた軸２５，２５を受容して紙押さえ１５を回転可能に支持する軸受部２６（図６参照）が形成されているとともに、前部側相対面には、ベース１２上に配置される用紙Ｐに対して紙押さえ１５を鋭角位置（図９参照）で一時的に停止させるための片状部材２８，２８（図７参照）が設けられている。これら片状部材２８は、前記相対面に反転Ｕ字状の切欠部３０を設けることによって形成されているとともに、上端部に突部３１がそれぞれ形成されている。また、支持部２０において、その底壁２４内には、凹陥部３３が形成され、当該凹陥部３３により、紙押さえ１５の左右方向のがたつき防止が行えるようになっている。
【００２３】
前記カッター刃１３は、細長い板状の刃本体３４の後端部が軸３５を介してベース１２の右側端１２Ａに支持され、他端部に設けられた把手３６を掴んで上下方向に操作することで、前記右側端１２Ａに接触しつつ回転可能に設けられ、これにより、右側端１２Ａを左右両側に跨ぐように配置される用紙Ｐを右側端１２Ａに沿って裁断できるようになっている。
【００２４】
前記紙押さえ１５は、図１及び図８〜図１０に示されるように、カッター刃１３に近接した位置で当該カッター刃１３に沿ってベース１２の前後方向に延びる形状に設けられている。紙押さえ１５の下面側には、鋼材等からなる平坦な金属板４０が止めねじ４１を介して固定されており、当該金属板４０の下面側には、ウレタン或いはシリコーン等の可撓性軟質材からなる板状の当接パッド４３が取り付けられている。当接パッド４３の取り付けは、接着剤による他、両面粘着テープ等を介在させた貼付方式を採用することができる。紙押さえ１５において、前記軸２５，２５の若干前方位置には、側面位置を陥没させた凹面部４５，４５がそれぞれ形成されている。これら凹面部４５における上部側には、前述した片状部材２８の突部３１の上方に引っ掛かり可能となる突部４７がそれぞれ形成され、この引っ掛かりにより、図９に示されるように、ベース１２における上面１１との間に形成される角度αが、用紙Ｐに対して押圧力を付与しない位置で、鋭角に保たれて一時的に停止できるようになっている。
【００２５】
また、紙押さえ１５において、凹面部４５と軸２５との間における下面側中央部には、下向きの突起部４８が形成されている。突起部４８は、図７に示されるように、支持部２０に形成された凹陥部３３の左右幅内に略ぴったり収まる左右幅を備えて構成され、これにより、前記軸２５，２５回りに、いわゆる「遊び」があっても、突起部４８が凹陥部３３内に入り込んだ後における紙押さえ１５の左右方向移動が規制できるようになっている。
【００２６】
前記上端位置決めガイド１６は、前記支持部２０における左側の支持壁２２に一体に連なって左右方向に直線状に延びる形状に設けられている。この上端位置決めガイド１６は、裁断すべき多数枚の用紙Ｐの上端縁を突き当てて当該用紙Ｐの上端縁を左右方向に沿う直線上に位置させるものであり、これにより、用紙Ｐを切断したときに、当該用紙Ｐの切断縁と用紙の上端縁との直角性が確保されるようになっている。この上端位置決めガイド１６は、図１１に示されるように、その前壁１６Ａと後壁１６Ｂが上方に向かうに従って次第に接近する方向に傾斜しており、上面１６Ａの前後幅が裾幅よりも短くなるように形成され、側端面で略テーパ状に表れるようになっている。
【００２７】
前記側端揃えガイド１７は、図１及び図１１に示されるように、ベース１２の上面１１に配置されて用紙Ｐの左端縁を同一直線上に位置させるためのものである。この側端揃えガイド１７は、棒状をなす角形部材により構成されており、前記上端位置決めガイド１６と直角に交わる方向に延びる右端面１７Ａ及び左端面１７Ｂと、これら各端面１７Ａ、１７Ｂの上端間に位置する上端面１７Ｃとからなり、その後部には、前記上端位置決めガイド１６にテーパ嵌合する下向き凹状部５０を備えて構成されている。本実施形態では、下向き凹状部５０に上端位置決めガイド１６を受容するように配置したときに、当該上端位置決めガイド１６と直交する関係が得られ、すなわち、前記右端面１７Ａがベース１２の右端面１２Ａと平行となるようなっている。また、側端揃えガイド１７の下端面には、図示しない板状マグネットが固定されており、当該マグネットがベース１２の平面１１に接着することで、滑り防止されるようになっている。なお、側端揃えガイド１７の前端側において、上端面１７Ｃの領域には、シーソーのように揺動する操作部材５１が配置されており、当該揺動部材５１の前端側をベース１２側に押し込んだときに、操作部材５１の図示しない下端側がベース１２の平面１１を押圧して浮き上がらせて側端揃えガイド１７を取り外しできるようになっている。
【００２８】
次に、本実施形態における裁断機１０の使用方法について説明する。
【００２９】
ここでは、側端揃えガイド１７が図１に示される位置に配置されているものとする。この状態で、用紙Ｐを裁断するときは、紙押さえ１５の自由端側を上方に回転させる。この回転により、紙押さえ１５の後部側に設けられた凹面部４５，４５が対応する片状部材２８，２８の上端に位置する突部３１を乗り越えた瞬間の鋭角位置（図９参照）で、角度αを保った位置に紙押さえ１５の姿勢を保つことができ、当該紙押さえ１５の下方に用紙Ｐを差し込んで配置することができる。この際、カッター刃１３は、自由端側を起立させる方向に回転させておく必要はなく、カッター受け台１９に乗ったままカッター刃１３の上方に用紙Ｐを配置することができ、これによって、カッター刃１３の不用意な倒伏に伴う危険性を未然に回避することができる。
【００３０】
次いで、用紙Ｐの上端縁を上端位置決めガイド１６に突き当てるとともに、用紙Ｐの左端縁を側端揃えガイド１７に突き当てることで、当該用紙Ｐの位置決めが完了する。
【００３１】
この状態で、紙押さえ１５の自由端側を下方に押圧すると、当接パッド４３が用紙Ｐの上面を押圧することとなる。この際、当接パッド４３は全領域が厚みを減じる方向に圧縮変形できるものであるため、仮に紙押さえ１５の自由端側だけを押圧しても、その押圧力は、当接パッド４３に接する全領域に及ぼすことができる。
【００３２】
この状態で、カッター刃１３の把手部３６を握って上方に引き上げると、用紙Ｐの右側領域を全体的に捲り上げながらカッター刃１３が用紙Ｐの上方に位置することとなり、把手部３６を押し下げることで用紙Ｐを裁断することができる。
【００３３】
従って、このような実施形態によれば、用紙Ｐの裁断に際し、容易且つ正確に直角性を確保した状態で、用紙Ｐの裁断を行うことができる、という効果を得る。
【００３４】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、その他の詳細な構成において、当業者が様々な変形を加えることができるものである。
従って、上記に開示した形状、位置などを限定した記載は、本発明の理解を容易にするために例示的に記載したものであり、本発明を限定するものではないから、それらの形状などの限定の一部若しくは全部の限定を外した物品の名称での記載は、本発明に含まれるものである。
【図面の簡単な説明】
【００３５】
【図１】実施形態に係る裁断機の概略斜視図。
【図２】前記裁断機の平面図。
【図３】前記裁断機の右側面図。
【図４】前記裁断機の左側面図。
【図５】図１の分解斜視図。
【図６】図９のＡ−Ａ線断面図。
【図７】図９のＢ−Ｂ線断面図。
【図８】紙押さえの一部断面側面図。
【図９】紙押さえが鋭角位置で静止した状態を示す断面図。
【図１０】紙押さえが用紙に押圧力を付与した状態を示す断面図。
【図１１】側端揃えガイドが上端位置決めガイドに取り付けられている状態を示す側面図。
【符号の説明】
【００３６】
１０  裁断機
１１  平面
１２  ベース
１３  カッター刃
１５  紙押さえ
１６  上端位置決めガイド
１７  側端揃えガイド
４０  金属板
４３  当接パッド
【図１】
2006321025.tif 000003
【図２】
2006321025.tif 000004
【図３】
2006321025.tif 000005
【図４】
2006321025.tif 000006
【図５】
2006321025.tif 000007
【図６】
2006321025.tif 000008
【図７】
2006321025.tif 000009
【図８】
2006321025.tif 000010
【図９】
2006321025.tif 000011
【図１０】
2006321025.tif 000012
【図１１】
2006321025.tif 000013